(57)【要約】【課題】本発明は、タッチパネルを備えた取引装置の清掃に当り、当該装置を自動的に清掃モードに切替えたうえで清掃を行うシステムの提供を目的とする。【解決手段】本発明によれば、清掃の対象となる取引装置（１０）を清掃する清掃用具（２０）には非接触方式の識別タグ（２１）が備えられ、清掃の対象となる取引装置には前記識別タグ（２１）からの信号を受信することで清掃用具を認識する清掃用具認識手段と、前記認識手段によって清掃用具が認識されている期間内の動作モードを清掃モードに切替える動作モード切替手段と、を少なくとも備えていることを特徴とする清掃支援システムにより上記の課題を解決する。【選択図】図１
2015069411.tif 000002
【特許請求の範囲】
【請求項１】
情報を表示する表示手段と、前記表示手段に重合されタッチすることで情報を入力するタッチ入力手段により構成される表示入力部を備えた装置を清掃するための支援システムであって、
前記装置を清掃する清掃用具には非接触方式の識別タグが備えられ、
前記装置には前記識別タグからの信号を受信することで当該清掃用具を認識する清掃用具認識手段と、
前記清掃用具認識手段によって清掃用具が認識されている期間内の動作モードを清掃モードに切替える動作モード切替手段と、
を少なくとも備えていることを特徴とする清掃支援システム。
【請求項２】
前記清掃用具認識手段は、当該清掃用具の正当性を認識する機能を備えていることを特徴とする請求項１記載の清掃支援システム。
【請求項３】
前記清掃用具認識手段は、当該清掃用具の種類を認識する機能を備えていることを特徴とする請求項１または２記載の清掃支援システム。
【請求項４】
前記装置には前記識別タグからの信号を検出し、前記検出された信号の強度と信号検出期間が予め設定した範囲に達したときに自動的に清掃モードに切り替わることを特徴とする請求項１〜３何れか一項記載の清掃支援システム。
【請求項５】
前記動作モード切替手段は前記装置が待機状態以外の状態にあるときには、清掃モードへ切り替わることを拒否する機能を備えていることを特徴とする請求項１〜４何れか一項記載の清掃支援システム。
【発明の詳細な説明】
【技術分野】
【０００１】
本発明は、デジタルサイネージに代表される情報表示端末、あるいは自販機や現金自動預払機（以下、ＡＴＭ（Automated teller machineの略）という）に代表される自動取引装置など、情報表示機能と情報入力機能を少なくとも備えた装置を清掃する際の清掃支援システムに関する。
【背景技術】
【０００２】
デジタルサイネージのような情報表示端末、あるいは自販機やＡＴＭのような自動取引装置は、その多くの装置において、情報を表示する表示手段と、前記表示手段に重合され人体の一部あるいは専用のペンでタッチすることで情報を入力するタッチ入力手段を備えている。このような表示手段とタッチ入力手段とにより構成され、各種情報の入出力を行う部分は所謂「タッチパネル」と称されるものである。
【０００３】
以下、情報を表示する表示手段と、前記表示手段に重合されタッチすることで情報を入力するタッチ入力手段を備えた部分を総称して以下、「表示入力部」と呼び、前記表示入力部を備えた端末あるいは装置を総称して以下、「取引装置」と呼ぶこととする。
【０００４】
ところで、前記取引装置が通常の状態で動作している最中に、前記装置のうちの特に表示入力部を雑巾やモールなどの清掃用具で清掃すると、当該清掃用具の一部が表示入力部に触れることになる。その結果、前記表示入力部のタッチ入力手段を介して前記清掃用具が無作為に触れたことによる何らかの情報が入力されてしまう。清掃用具が前記タッチ入力手段に触れたことにより入力された情報は無作為にタッチされて入力された情報であるから、云うまでもなく取引装置の側から見れば何らの意味もない出鱈目な情報である。
【０００５】
しかしながら出鱈目な情報であるとは云っても偶然にも何らかの意味ある情報が入力され、当該装置が予想外の動作をする可能性もゼロとは言えない。
したがって、表示入力部の清掃に際しては何らかの対策が必要である。
【０００６】
たとえば、特許文献１に記載の自動取引装置はタッチパネルを備えており、タッチパネルへの操作入力を検知したとき、その入力された位置と回数によって操作入力の異常の有無を判定するようになっている。
同文献には「タッチパネルの無効領域における隣接エリアにて、所定回数以上続けてタッチ検出があったときは、タッチパネルの掃除をしている・・・（中略）・・・と判断する。このような異常を検知した場合は・・・（中略）・・・タッチパネルを無効化する」旨の記載がある。（同文献の段落００１６参照）
【０００７】
特許文献１によれば、タッチパネルに対するタッチ検出の結果からタッチパネルに対する異常を検知する機能を利用してタッチパネルを掃除していると判断している。
【先行技術文献】
【特許文献】
【０００８】
【特許文献１】特開２０１０−２８２３０９号公報
【発明の概要】
【発明が解決しようとする課題】
【０００９】
しかしながら、タッチパネルに対するタッチ入力の状態の異常を検出した後でなく、事前にタッチパネル、すなわち表示入力部の清掃を行うことを自動検知し、取引装置に万が一の事態が発生しないように事前に対処することが好ましい。
そこで、本発明は、取引装置の表示入力部の清掃に当り、自動的に清掃モードに切替えたうえで清掃を行うことを可能とする清掃支援システムの提供を目的とする。
【課題を解決するための手段】
【００１０】
本発明の清掃支援システムは、上記の課題を以下の各態様により解決するものである。なお、課題を解決するための手段の欄において括弧を付して示した符号は図面に付した符号と対応する。
【００１１】
本発明の第１の態様は、情報を表示する表示手段と、前記表示手段に重合されタッチすることで情報を入力するタッチ入力手段により構成される表示入力部（１３０）を備えた装置（例えば取引装置）を清掃するための支援システムであって、前記装置を清掃する清掃用具（２０）には非接触方式の識別タグ（２１）が備えられ、前記装置には前記識別タグ（２１）からの信号を受信することで当該清掃用具を認識する清掃用具認識手段（１１１）と、前記認識手段によって清掃用具が認識されている期間内の動作モードを清掃モードに切替える動作モード切替手段（１１３）と、を少なくとも備えていることを特徴とする清掃支援システムである。
【００１２】
第１の態様によれば、清掃モードにおいては表示入力部（１３０）のタッチ入力手段は不感状態となる。したがって、タッチ入力手段の表面を清掃用具で清掃したり、タッチ入力手段の表面に清掃作業員が触れても前記表示入力部（１３０）から情報の入力が行われることがなく、したがって前記装置が誤動作する心配がない。
さらに、清掃モードにおいては表示入力部（１３０）の表示手段に清掃モードであることを示す表示をすることもできる。前記表示には前記表示手段の輝度を落として真っ暗な状態とすることも含まれる。
その結果、最近の高機能機器に疎い人でも機器の誤動作を避け、決められたとおりの手順で清掃することが出来る。
【００１３】
本発明の第２の態様は、前記第１の態様において前記清掃用具認識手段（１１１）は、当該清掃用具の正当性を認識する機能を備えていることを特徴とする。
【００１４】
本発明の第３の態様は、前記第２または第３の態様において前記清掃用具認識手段（１１１）は、当該清掃用具の種類を認識する機能を備えていることを特徴とする。
【００１５】
本発明の第４の態様は、前記第１〜３の態様において前記装置には前記識別タグ（２１）からの信号を検出し、前記検出された信号の強度と信号検出期間が予め設定した範囲に達したときに自動的に清掃モードに切り替わることを特徴とする。
【００１６】
本発明の第４の態様によれば、清掃用具（２０）に付加されている識別タグ（２１）からの信号が検出される圏内にあると自動的に清掃モードとなり、圏外になると自動的に前記清掃モードとなる直前の状態、即ち通常モードに切替わる。
【００１７】
本発明の第５の態様は、前記第１〜４の態様において前記動作モード切替手段（１１３）は前記装置が待機状態以外の状態にあるときには、清掃モードへ切り替わることを拒否する機能を備えていることを特徴とする。
【００１８】
本発明の第５の態様によれば、当該識別タグ（２１）の付加された清掃用具（２０）を持った清掃作業員が当該装置に近付いても、当該装置が通常モードで使用されている最中に突如通常モードから清掃モードに自動的に切替わる心配がない。
【発明の効果】
【００１９】
本発明によれば、タッチ入力手段を備えた表示入力部を有する装置の清掃に際して、当該装置の少なくとも表示入力部の機能を手動で停止させることなく、当該装置を誤動作させることなく、かつ、速やかに清掃することができる。
【図面の簡単な説明】
【００２０】
【図１】本実施形態にかかるシステム構成の概念を示すシステム概念図である。
【図２】本実施形態にかかる装置内の構成を示す機能ブロック図である。
【図３】本実施形態にかかる情報処理の手順を示すフロー図である。
【発明を実施するための形態】
【００２１】
以下、本発明の清掃支援システムの実施形態について図面を参照して説明する。
【００２２】
図１は、本実施形態にかかるシステム構成の概念を示すシステム概念図である。
図１において、１０は表示入力部を備えた、１３０は取引装置１０の表示入力部、２０は清掃用具を示しており前記清掃用具２０には識別タグ２１が付加されている。Ｐは清掃作業員であり、清掃作業員Ｐは識別タグ２１の付加された掃除用具２０を使用して前記取引装置１０を掃除する。
【００２３】
前記識別タグ２１は送信部を備えた非接触方式の識別タグである。識別タグ２１からは識別情報を搬送波に乗せた信号が所定の距離まで送出される。取引装置１０においては前記識別タグ２１からの前記信号を受信する受信部が備えられ、前記識別タグ２１からの識別情報の検出ができる。
【００２４】
図１（ａ）に示した取引装置１０は通常の動作状態（以下、通常モードという）で運用されている。すなわち、通常モードとは取引装置１０が何らかの形態で利用しようとすれば利用可能な状態を意味する。このような通常モードにおいては取引装置１０の表示入力部１３０には何らかの情報が表示されているものとする。
【００２５】
例えば、取引装置１０が通常モードであって、かつ、利用されていない状態のときに前記清掃用具２０を持った清掃作業員Ｐが当該取引装置１０に近付くものとする。そうすると図１（ｂ）に示したように前記取引装置１０は前記清掃用具２０に付加されている識別タグ２１からの識別情報を検出して通常モードから清掃のための動作状態（以下、清掃モードという）に切替わる。
【００２６】
清掃モードにおいては取引装置１０の表示入力部１３０が不感状態になるとともに、表示入力部の表示状態が変化する。たとえば図１（ｂ）のように清掃モードにおいては表示入力部１３０の画面全体が黒く表示される。勿論、画面全体を黒く表示せずに何らかの情報、たとえば「清掃中」と表示したり、スクリーンセーバーのような表示を行ってもよい。このような表示の制御は、後述の情報処理部１１０の表示制御手段１１４の機能ならびに制御部１４０の機能によって行うことができる。
清掃作業が終了して清掃作業員Ｐが掃除用具２０とともに前記取引装置１０から離れると前記取引装置１０は清掃モードから再び通常モードに戻る。
【００２７】
図２は本実施形態にかかる取引装置内の構成を示す機能ブロック図であって、本実施形態の清掃支援システムに関わる機能の説明に必要な部分のみ例示するものである。
図２において１１０は情報処理部、１２０は識別タグ２１からの信号を受信するタグ信号受信部、１３０は表示入力部、１４０は制御部であって取引装置１０に対する動作モードの制御機能を含む各種制御を行う部分である。
前記タグ信号受信部１２０は、識別タグからの信号を検出し受信データに変換する機能だけでなく、識別タグからの信号を検出し、さらに検出された信号の強度と信号検出期間が予め設定した範囲に達したか否かを判別する機能を有していてもよい。
前記表示入力部１３０は、各種情報を表示する表示手段と、前記表示手段に重合されタッチすることで情報を入力するタッチ入力手段であるところの所謂タッチパネルにより構成されている。
【００２８】
前記情報処理部１１０は清掃用具認識手段１１１と動作状態確認手段１１２と動作モード切替手段１１３と表示制御手段１１４とを少なくとも備えている。
前記情報処理部１１０はコンピュータ（図示せず）を実行させる所定プログラムによる情報処理よって各種機能を実現するものである。
【００２９】
前記清掃用具識別手段１１１には、識別タグから信号に含まれる識別情報を抽出し、抽出した識別情報から当該識別タグの正当性を判断する機能、あるいは、前記識別情報から当該識別タグを付加している清掃用具の種類を認識する機能がある。
【００３０】
前記動作状態確認手段１１２は、当該取引装置１０が待機状態以外の状態にあるか否か、たとえば当該取引装置１０が通常モードであって所定の目的で運用されているか否か、を判断する機能がある。
【００３１】
動作モード切替手段１１３には、動作モードを通常モードから清掃モードへ、あるいは清掃モードから通常モードへ切替えるための処理機能がある。
さらに、動作モード切替手段１１３には、前記動作状態確認手段１１２による判断結果において当該取引装置１０が待機状態以外の状態にあるときには、通常モードから清掃モードへ切り替わることを拒否する機能がある。
【００３２】
図３は本実施形態にかかる情報処理の手順を示すフロー図である。
前記図２に示した各種機能は、図３に示す手順により実現される。
なお、本実施形態においては、取引装置１０の具体例として自販機やＡＴＭのような取引装置を例に説明する。
【００３３】
図３において取引処理ルーチンとあるのは、取引装置を通常の取引が可能な状態の処理である処の通常モードで動作させるための処理ルーチンを意味している。
【００３４】
図３において清掃処理ルーチンとあるのは、清掃を行う際の処理である処の清掃モードであって、前記取引処理ルーチンに対して付加される処理ルーチンを意味している。
【００３５】
本実施形態の通常モードにおいては取引処理ルーチンが実行されている。取引処理ルーチンにおいては、取引処理待ちステップＳ１０、取引処理実行ステップＳ１１、取引処理終了ステップＳ１２の各ステップの順で繰り返し処理がなされている。
本実施形態において清掃処理ルーチンは図３に示すステップＳ２０〜Ｓ２８の各ステップを少なくとも備えている。
【００３６】
前記各ステップのうち、ステップＳ２４は取引装置動作状態確認ステップであって、前記取引処理ルーチンの取引処理実行ステップＳ１１の状態を常時に監視している。ステップＳ２４による監視の結果に基づいて取引装置１０が通常モードから清掃モードに自動的に切り替わり、取引装置１０に対する清掃作業を行うことができる。
【００３７】
清掃処理ルーチンについて更に詳しく説明する。
【００３８】
ステップＳ２０は、識別タグ信号の受信待ちをしているステップである。
当該装置を清掃する清掃用具２０には非接触方式の識別タグ２１が備えられている。この識別タグ２１からの信号を当該装置のタグ信号受信部１２０で受信し、受信した信号を受信データに変換してコンピュータ側（図示せず）に渡す。コンピュータ側ではステップＳ２０の処理により識別タグ信号に基づく受信データが来るものを待ち続ける。
ステップＳ２０において所定の受信データを検出するとステップＳ２１に進む。
なお、当該装置のタグ信号受信部１２０において検出された信号の強度と信号検出期間が予め設定した範囲に達したときの信号から受信データを検出するようにしてもよい。
【００３９】
ステップＳ２１は、受信した識別タグ信号に含まれる識別情報を一時記憶させるステップであって、前記受信データから識別情報を抽出し、コンピュータ側のメモリに前記識別情報を一時記憶させる処理を行う。
【００４０】
ステップＳ２２は識別情報から当該識別タグの正当性を判断するステップである。前記一時記憶された識別情報を所定のアルゴリズムで診断士して正当性を判断する。たとえば、識別タグの識別情報に対して所定のアルゴリズムで秘密キー情報を埋め込んでおき、この秘密キーの有無を前記ステップＳ２２の処理によって検出し得るか否かで正当性の判断が可能となる。
【００４１】
ステップＳ２３は、前記識別情報から清掃用具の種類を認識するステップであって、情報処理装部１１０の清掃用具認識手段１１１として機能する。
そのために清掃用具の種類に応じて所定の識別情報を決めておき、清掃用具ごとに該当する識別タグを取り付けることにより清掃作業員が清掃用具を持って当該装置に接近した際に、当該識別タグからの信号によって清掃用具の種類が事前に認識可能となる。
このように清掃作業が開始される前に当該装置側で清掃用具が認識できるので、清掃用具の種類に応じた作業手順を当該装置の表示入力部１３０に表示され、正しい手順で清掃作業を進めることができる。
【００４２】
ステップＳ２４は取引装置動作状態確認ステップであって、情報処理部１１０の動作状態確認手段１１２として機能する。
ステップＳ２４においては前記取引処理ルーチンの取引処理実行ステップＳ１１の状態を常時確認しており、確認結果のステータスをステップＳ２５で判断する。
【００４３】
ステップＳ２５は、前記ステップＳ２４からの確認結果のステータスに基づき取引装置の状態を判断する。たとえば、当該装置を顧客が利用しているのか否かを判断する。
仮に、当該装置を顧客が利用していない状態、即ち当該装置が待機状態であれば取引装置を通常モードから清掃モードに自動的に切替える命令をステップＳ２６に対して送る。
ステップＳ２６は取引装置を清掃モードに切替えるステップであって、情報処理部１１０の動作モード切替手段１１３として機能する。
清掃モードにおいては動作モード切替手段１１３によって表示入力部１３０が不感状態となるように制御され、必要に応じて、清掃中を示す表示あるいは清掃手順を示す表示などが表示入力部１３０に表示される。勿論、表示入力部１３０に何ら表示しなくてもよい。
仮に、当該装置を顧客が利用している状態であれば取引装置を通常モードのままにしてステップＳ２４の取引装置動作状態確認ステップに戻る。
【００４４】
このように、清掃処理ルーチンにおいて正当な識別タグの存在が認識されが場合は、ステップＳ２４、２５の処理により当該装置を顧客が利用している期間は清掃モードに自動的に切替わらないように処理される。
即ち動作モード切替手段１１３は、当該装置が待機状態以外の状態にあるときには、清掃モードへ切り替わることを拒否する機能を備えている。
したがって、清掃用具を持った清掃作業員が当該装置に近付いたとしても、当該装置が自動的に清掃モードに切替わる心配がない。
【００４５】
ステップＳ２７は、取引装置の清掃処理終了を検知するステップである。清掃処理終了は識別タグ２１からの識別信号が受信できなくなったこと、ならびに前記信号が受信できなくなってからの経過時間が所定の値を超えたことを以て自動的に清掃処理終了とすることができる。
あるいは、清掃処理終了に関しては、清掃作業員Ｐが当該装置に所定のコマンドを入力することで清掃処理終了とさせる機能を付加してもよい。
【００４６】
ステップＳ２８は、当該装置を通常モードに切替えるステップであって、前記ステップＳ２７による終了を検知した後、当該装置の情報処理部１１０の動作モード切替手段１１３の機能ならびに制御部１４０の機能によって通常モードに戻すことができる。
【００４７】
＜変形例＞
本発明は本実施形態中で説明した内容に限定されるものではない。
例えば以下の変形例も本発明の技術的範囲に含まれる。
【００４８】
（例１）
ステップＳ２４の取引装置動作状態確認ステップにおいて、取引処理ルーチンの取引処理実行ステップＳ１１の状態を監視する例で説明したが、テレビカメラで当該取引装置の表示入力部の周辺を撮像して得られた画像情報の分析し、当該取引装置を利用する顧客の存在を監視するようにしてもよい。
【００４９】
（例２）
ステップＳ２６で清掃モードに切替わった時刻情報と、ステップＳ２７で清掃処理終了を検知した時刻情報とを記録するようにしてもよい。
さらに、使用した清掃用具の情報を記録するようにしてもよい。
【符号の説明】
【００５０】
１０  取引装置
２０  清掃用具
２１  識別タグ
１１０  情報処理部
１２０  タグ信号受信部
１３０  表示入力部
１４０  制御部
【図１】
2015069411.tif 000003
【図２】
2015069411.tif 000004
【図３】
2015069411.tif 000005